(57)【要約】【課題】放送受信装置側で表示されている映像が変化した場合に、情報処理装置側で表示されているコンテンツを切り替えるのみならず、そのまま維持することも可能な放送受信装置を得る。【解決手段】実施形態による放送受信装置は、受信部と、第１出力部と、第２出力部とを備える。受信部は、放送波を受信する。第１出力部は、放送波に対応した映像を第１表示部に表示させるための表示データを出力する。第２出力部は、第１表示部が第１映像が表示された状態から第２映像が表示された状態に変化した場合に、第１情報処理装置の第２表示部が第１映像に対応した第１コンテンツが表示された状態から第２映像に対応した第２コンテンツが表示された状態に切り替わるとともに、第２情報処理装置の第３表示部が第１コンテンツが表示された状態を維持するように、少なくとも第１情報処理装置に対して第１指示データを出力する。【選択図】図８
2014230205.tif 000002
【特許請求の範囲】
【請求項１】
放送波を受信する受信部と、
前記放送波に対応した映像を第１表示部に表示させるための表示データを出力する第１出力部と、
前記第１表示部が第１映像が表示された状態から第２映像が表示された状態に変化した場合に、通信可能に接続された第１情報処理装置の第２表示部が前記第１映像に対応した第１コンテンツが表示された状態から前記第２映像に対応した第２コンテンツが表示された状態に切り替わるとともに、通信可能に接続された第２情報処理装置の第３表示部が前記第１コンテンツが表示された状態を維持するように、少なくとも前記第１情報処理装置に対して第１指示データを出力する第２出力部とを備えた、放送受信装置。
【請求項２】
前記第２出力部は、前記第１表示部が前記第１映像が表示された状態から前記第２映像が表示された状態に変化した場合に、前記第１コンテンツが表示された状態から前記第２コンテンツが表示された状態に前記第２表示部または前記第３表示部が切り替わる旨または切り替わり可能である旨を示す画像が、前記第２表示部または前記第３表示部に表示されるように、前記第１情報処理装置または前記第２情報処理装置に対して第２指示データを出力する、請求項１に記載の放送受信装置。
【請求項３】
前記第１映像が表示された状態から前記第２映像が表示された状態に前記第１表示部を変化させるための第３指示データを取得する取得部をさらに備え、
前記第２出力部は、前記第１情報処理装置により出力された前記第３指示データが前記取得部により取得された場合に、前記第１情報処理装置の前記第２表示部が第１コンテンツが表示された状態から前記第２コンテンツが表示された状態に切り替わるとともに、前記第２情報処理装置の前記第３表示部が前記第１コンテンツが表示された状態を維持するように、少なくとも前記第１情報処理装置に対して前記第１指示データを出力する、請求項１または２に記載の放送受信装置。
【請求項４】
放送波を受信する受信部と、
前記放送波に対応した映像を第１表示部に表示させるための表示データを出力する第１出力部と、
前記第１表示部が第１映像が表示された状態から第２映像が表示された状態に変化した場合に、通信可能に接続された情報処理装置の第２表示部が前記第１映像に対応した第１コンテンツが表示された状態から前記第２映像に対応した第２コンテンツが表示された状態に切り替わるか、または、前記第２表示部が前記第１コンテンツが表示された状態を維持するかを変更可能に、前記情報処理装置が前記第２表示部を制御するように、前記情報処理装置に対する指示データを出力する第２出力部とを備えた、放送受信装置。
【請求項５】
コンピュータに、
放送受信装置の第１表示部が第１映像が表示された状態から第２映像が表示された状態に変化したことを示す第１データを情報処理装置が取得すること、および、
前記情報処理装置が前記第１データを取得した場合に、前記情報処理装置の第２表示部が前記第１映像に対応した第１コンテンツが表示された状態から前記第２映像に対応した第２コンテンツが表示された状態に切り替わるか、または、前記第２表示部が前記第１コンテンツが表示された状態を維持するように、前記情報処理装置が前記情報処理装置に記憶された第２データに応じて前記第２表示部を制御すること、を実行させるための、プログラム。
【発明の詳細な説明】
【技術分野】
【０００１】
本発明の実施形態は、放送受信装置およびプログラムに関する。
【背景技術】
【０００２】
従来、テレビジョン装置などの放送受信装置に表示されている映像と対応したコンテンツを携帯端末などの情報処理装置に表示させる技術が知られている。このような従来技術では、放送受信装置側で表示されている映像が変化した場合に、情報処理装置側で表示されているコンテンツが、放送受信装置側の映像の変化に対応するように自動的に変化する（切り替わる）場合がある。
【先行技術文献】
【特許文献】
【０００３】
【特許文献１】特開２００５−２１７９４１号公報
【発明の概要】
【発明が解決しようとする課題】
【０００４】
上記のような技術では、一例としては、放送受信装置側で表示されている映像が変化した場合に、情報処理装置側で表示されているコンテンツを切り替えるのみならず、そのまま維持することもできれば望ましい。
【課題を解決するための手段】
【０００５】
実施形態による放送受信装置は、一例として、受信部と、第１出力部と、第２出力部とを備える。受信部は、放送波を受信する。第１出力部は、放送波に対応した映像を第１表示部に表示させるための表示データを出力する。第２出力部は、第１表示部が第１映像が表示された状態から第２映像が表示された状態に変化した場合に、放送受信装置に通信可能に接続された第１情報処理装置の第２表示部が第１映像に対応した第１コンテンツが表示された状態から第２映像に対応した第２コンテンツが表示された状態に切り替わるとともに、放送受信装置に通信可能に接続された第２情報処理装置の第３表示部が第１コンテンツが表示された状態を維持するように、少なくとも第１情報処理装置に対して第１指示データを出力する。
【図面の簡単な説明】
【０００６】
【図１】図１は、第１実施形態によるテレビジョン装置を含む映像表示システムの全体構成の一例を示した模式図である。
【図２】図２は、第１実施形態によるテレビジョン装置、スマートフォン、タブレットおよびリモコンの内部構成の一例を示したブロック図である。
【図３】図３は、第１実施形態によるスマートフォンの表示部に表示されるテレビジョン装置の操作用の操作画面の一例を示した図である。
【図４】図４は、第１実施形態によるタブレットの表示部に表示されるテレビジョン装置の操作用の操作画面の一例を示した図である。
【図５】図５は、第１実施形態によるテレビジョン装置に記憶された第１テーブルの一例を示した図である。
【図６】図６は、第１実施形態によるテレビジョン装置に記憶された第２テーブルの一例を示した図である。
【図７】図７は、第１実施形態によるテレビジョン装置に記憶された第３テーブルの一例を示した図である。
【図８】図８は、第１実施形態によるテレビジョン装置の表示部に表示された映像が変化するイベントが発生する前と後とにおける、テレビジョン装置、スマートフォンおよびタブレットのそれぞれの表示部に表示される表示画面の遷移の一例を概略的に説明するための図である。
【図９】図９は、第１実施形態によるテレビジョン装置の表示部に表示された映像が変化した場合におけるスマートフォンの表示部に表示される表示画面の遷移の一例を説明するための図である。
【図１０】図１０は、第１実施形態によるテレビジョン装置の表示部に表示された映像が変化した場合におけるタブレットの表示部に表示される表示画面の遷移の一例を説明するための図である。
【図１１】図１１は、第１実施形態によるテレビジョン装置の表示部に表示された映像が変化した場合におけるスマートフォンの表示部に表示される表示画面の遷移の一例を説明するための図である。
【図１２】図１２は、第１実施形態によるテレビジョン装置の表示部に表示された映像が変化した場合におけるタブレットの表示部に表示される表示画面の遷移の一例を説明するための図である。
【図１３】図１３は、第１実施形態によるテレビジョン装置の表示部に表示された映像が変化した場合におけるタブレットの表示部に表示される表示画面の遷移の一例を説明するための図である。
【図１４】図１４は、第１実施形態によるテレビジョン装置の制御部により実行される処理フローの一例を説明するためのフローチャートである。
【図１５】図１５は、第２実施形態による携帯端末の制御部により実行される処理フローの一例を説明するためのフローチャートである。
【発明を実施するための形態】
【０００７】
以下の複数の実施形態には、同様の構成要素が含まれる。それら同様の構成要素には共通の符号が付与されるとともに、重複する説明が省略される。同様の構成要素を備えた実施形態では、当該同様の構成要素に基づく同様の結果（効果）が得られる。なお、本明細書中の、第１，第２等の序数は、構成要素等を便宜上区別するために付与されており、処理の順序や、優先度、重要度等を意味するものではない。
【０００８】
＜第１実施形態＞
まず、図１〜図１３を参照して、第１実施形態によるテレビジョン装置１０を含む映像表示システム１００の構成の一例について説明する。なお、テレビジョン装置１０は、「放送受信装置」の一例である。
【０００９】
図１に示すように、映像表示システム１００は、テレビジョン装置１０と、複数（図１では、２個）の携帯端末２０（スマートフォン２０ａおよびタブレット２０ｂ）とを備える。テレビジョン装置１０と携帯端末２０とは、ネットワーク（ホームネットワークやインターネットなど）を介して互いに通信可能に接続されている。具体的には、テレビジョン装置１０と携帯端末２０とは、ネットワークを構成するための機器であるルータ３０を介して互いに通信可能に接続されている。なお、携帯端末２０（スマートフォン２０ａ、タブレット２０ｂ）は、「情報処理装置（電子機器）」の一例である。また、スマートフォン２０ａおよびタブレット２０ｂは、それぞれ、「第１情報処理装置」および「第２情報処理装置」の一例である。
【００１０】
また、図２に示すように、テレビジョン装置１０は、放送受信部１１と、表示部１２と、通信部１３と、リモコン信号受信部１４と、制御部１５とを備える。なお、放送受信部１１、表示部１２および通信部１３は、それぞれ、「受信部」、「第１表示部」および「取得部」の一例である。また、テレビジョン装置１０の制御部１５は、第１出力部１５ａと、第２出力部１５ｂと、同期管理部１５ｃと、記憶部１５ｄとを含む。
【００１１】
また、携帯端末２０としてのスマートフォン２０ａは、通信部２１ａと、表示部２２ａと、操作部２３ａと、制御部２４ａとを備える。また、携帯端末２０としてのタブレット２０ｂも、スマートフォン２０ａと同様に、通信部２１ｂと、表示部２２ｂと、操作部２３ｂと、制御部２４ｂとを備える。なお、表示部２２ａおよび２２ｂは、それぞれ、「第２表示部」および「第３表示部」の一例である。
【００１２】
テレビジョン装置１０の放送受信部１１は、放送局ＢＳ（図１参照）から送信された放送波を受信する。また、テレビジョン装置１０の表示部１２は、放送受信部１１により受信された放送波に対応する映像（チャンネル放送に対応するテレビ番組など）を表示することができる。また、テレビジョン装置１０の制御部１５の第１出力部１５ａは、放送波に対応した映像を表示部１２に表示させるための表示データを出力する。
【００１３】
また、テレビジョン装置１０の通信部１３は、スマートフォン２０ａの通信部２１ａとタブレット２０ｂの通信部２１ｂとに、ルータ３０を介して通信可能に接続されている。この通信部１３によって、テレビジョン装置１０とスマートフォン２０ａ（タブレット２０ｂ）との間で種々のデータ（後述する第１，第２，第３および第４指示データなど）を送受信することが可能になる。
【００１４】
また、テレビジョン装置１０のリモコン信号受信部１４は、リモコン４０から送信されるリモコン信号（操作部４１の操作に基づいてリモコン信号送信部４２から送信されるリモコン信号）を受信する。ユーザは、リモコン４０を用いてテレビジョン装置１０の操作を行うことができる。例えば、ユーザがリモコン４０を用いてテレビ放送のチャンネルを第１のチャンネルから第２のチャンネルに切り替える操作を行うことにより、表示部１２に表示されている映像が、第１のチャンネル（のコンテンツ）の第１映像から第２のチャンネル（のコンテンツ）の第２映像に変化する（図８参照）。なお、図２には示していないが、テレビジョン装置１０には、テレビジョン装置１０の操作を行うための操作部が設けられており、ユーザは、テレビジョン装置１０の操作部を操作することによっても、テレビジョン装置１０の操作を行うことができる。
【００１５】
また、ユーザは、スマートフォン２０ａおよびタブレット２０ｂを用いてテレビジョン装置１０の操作を行うこともできる。すなわち、タブレット２０ｂのユーザは、タブレット２０ｂの操作部２３ｂを操作することにより、テレビジョン装置１０の表示部１２に表示された映像を切り替える（テレビ放送のチャンネルを切り替える）操作などを行うことができる。同様に、スマートフォン２０ａのユーザも、スマートフォン２０ａの操作部２３ａを操作することにより、テレビジョン装置１０の表示部１２に表示された映像を切り替える（テレビ放送のチャンネルを切り替える）操作などを行うことができる。このようにタブレット２０ｂ（スマートフォン２０ａ）を用いたテレビジョン装置１０の操作（表示部１２の映像の切替操作）が行われた場合には、映像の切り替えをテレビジョン装置１０に指示する旨のデータ（第３指示データ）が、タブレット２０ｂ（スマートフォン２０ａ）からテレビジョン装置１０に送信される。
【００１６】
なお、第１実施形態では、一例として、スマートフォン２０ａの操作部２３ａは、表示部２２ａを用いたタッチパネルなどにより構成されている。同様に、タブレット２０ｂの操作部２３ｂも、表示部２２ｂを用いたタッチパネルなどにより構成されている。スマートフォン２０ａの表示部２２ａは、テレビジョン装置１０の操作（チャンネルの選局操作など）を行うための操作画面ＩＭ１（図３参照）を表示可能に構成されている。同様に、タブレット２０ｂの表示部２２ｂも、テレビジョン装置１０の操作を行うための操作画面ＩＭ２（図４参照）を表示可能に構成されている。なお、図３の操作画面ＩＭ１には、チャンネルの選局操作用の複数の選局ボタン（「１」、「２」…「９」という数字が表示されたボタン）Ｂ１などが表示されている。また、図４の操作画面ＩＭ２には、複数の選局ボタンＢ２の他、後述する更新ボタンＢ３や同期ボタンＢ４などが表示されている。
【００１７】
ここで、第１実施形態では、スマートフォン２０ａ（タブレット２０ｂ）の表示部２２ａ（２２ｂ）は、テレビジョン装置１０の表示部１２に表示されている映像に対応するコンテンツ（例えば、画像、文字、映像等）を表示することができる。この状態を、同期状態と呼ぶ。また、スマートフォン２０ａ（タブレット２０ｂ）で、テレビジョン装置１０の表示部１２に表示されている映像に対応するコンテンツが表示されていない状態を非同期状態と呼ぶ。
【００１８】
スマートフォン２０ａ（タブレット２０ｂ）の表示部２２ａ（２２ｂ）での表示の切替または維持は、テレビジョン装置１０の制御部１５の第２出力部１５ｂから出力される指示データ（第１および第２指示データ）に基づいて行われる。これら第１および第２指示データは、テレビジョン装置１０からスマートフォン２０ａ（タブレット２０ｂ）にネットワーク経由で送信され、スマートフォン２０ａ（タブレット２０ｂ）の制御部２４ａ（２４ｂ）は、通信部２１ａ（２１ｂ）を介して取得した第１および第２指示データに基づいて、表示部２２ａ（２２ｂ）の制御を行う。
【００１９】
同期状態は、一例としては、以下のような手順で得られる。すなわち、テレビジョン装置１０の表示部１２では、放送波のチャンネル（のコンテンツ）に対応した映像が表示されている。テレビジョン装置１０は、放送波に含まれた表示部１２で表示されている映像のチャンネル（のコンテンツ）に対応した指示データ（データ、アドレスデータ、識別データ、例えば、ＵＲＬ（uniform  resource  locator）等）を、スマートフォン２０ａ（タブレット２０ｂ）へ送信する。スマートフォン２０ａ（タブレット２０ｂ）は、当該指示データに対応したコンテンツを、例えば、ネットワーク上のコンテンツサーバＣＳ（図１参照）から、画像や動画等が含まれたＨＴＭＬ文書等の形態で、取得する。これにより、スマートフォン２０ａ（タブレット２０ｂ）の表示部２２ａ（２２ｂ）で、テレビジョン装置１０の表示部１２に表示されている映像に対応するコンテンツが表示される。
【００２０】
また、第１実施形態では、テレビジョン装置１０とスマートフォン２０ａ（タブレット２０ｂ）とが同期状態にあるかまたは非同期状態にあるかは、テレビジョン装置１０の制御部１５によって管理される。具体的には、制御部１５の記憶部１５ｄには、テレビジョン装置１０とスマートフォン２０ａ（タブレット２０ｂ）とが同期状態にあるかまたは非同期状態にあるかを示す第１テーブルＴ１（情報、設定情報、設定、図５参照）が記憶されている。そして、制御部１５の同期管理部１５ｃは、記憶部１５ｄに記憶された第１テーブルＴ１の維持や更新（書き換え）などの管理を行うように構成されている。図５では、一例として、テレビジョン装置１０とスマートフォン２０ａとの間の関係が同期状態であるとともに、テレビジョン装置１０とタブレット２０ｂとの間の関係も同期状態であることが示されている。なお、第１実施形態では、第１テーブルＴ１の内容をユーザが種々に設定および変更することが可能である。また、第１実施形態では、テレビジョン装置１０とスマートフォン２０ａ（タブレット２０ｂ）との間の関係（同期状態または非同期状態）を特定可能な情報であれば、第１テーブルＴ１のようなテーブル形式の情報以外の任意の形式の情報を用いることが可能である。
【００２１】
ここで、第１実施形態では、一例として、制御部１５の同期管理部１５ｃは、テレビジョン装置１０の表示部１２に表示された映像が変化するイベントが発生した場合に、そのイベントに応じて、第１テーブルＴ１を維持または更新する。テレビジョン装置１０の表示部１２に表示された映像が変化するイベントとしては、例えば、テレビ番組のチャンネルの変更操作や、あるテレビ番組の終了に伴う新たなテレビ番組の開始や、放送局ＢＳ（図１参照）がユーザに訴えたい何らかのメッセージを放送波に乗せることに起因する放送波の内容の強制的な変更などが挙げられる。
【００２２】
また、制御部１５の同期管理部１５ｃは、上記のような第１テーブルＴ１の維持または更新を、記憶部１５ｄに記憶された第２テーブルＴ２（情報、設定情報、設定、図６参照）に基づいて行う。図６の第２テーブルＴ２には、一例として、テレビジョン装置１０の表示部１２に表示された映像が変化するイベントの発生要因がチャンネルの変更操作が行われたことである場合に、第１テーブルＴ１が更新される旨（「Ｒ」：全同期解除、および、「Ｓ」：自身以外の全同期解除）が規定されている。また、第２テーブルＴ２には、テレビジョン装置１０の表示部１２に表示された映像が変化するイベントの発生要因が、テレビ番組が終了したことや、放送局ＢＳ（図１参照）からのメッセージが放送波に乗せられたことであった場合に第１テーブルＴ１が更新されない旨（「−」：変化なし）が規定されている。
【００２３】
より具体的には、図６の第２テーブルＴ２には、一例として、テレビジョン装置１０の操作部（図２には図示せず）によってチャンネルの変更操作が行われた場合と、リモコン信号受信部１４の操作部４１によってチャンネルの変更操作が行われた場合とに、テレビジョン装置１０と同期状態にある全ての携帯端末２０の同期状態が解除される（テレビジョン装置１０と携帯端末２０との間の関係が同期状態から非同期状態に変更される）旨（「Ｒ」：全同期解除）が規定されている。また、第２テーブルＴ２には、携帯端末２０の操作部（タブレット２０ｂの操作部２３ｂ、スマートフォン２０ａの操作部２３ａ）によってチャンネルの変更操作が行われた場合に、そのチャンネルの変更操作を行った携帯端末２０以外の携帯端末２０の同期状態が解除される旨（「Ｓ」：自身以外の全同期解除）が規定されている。なお、第１実施形態では、第２テーブルＴ２の内容をユーザが種々に設定および変更することが可能である。また、第１実施形態では、テレビジョン装置１０の表示部１２に表示された映像が変化するイベントと、テレビジョン装置１０と携帯端末２０との間の関係（同期状態または非同期状態）の更新規則とが互いに対応付けられた情報であれば、第２テーブルＴ２のようなテーブル形式の情報以外の任意の形式の情報を用いることが可能である。
【００２４】
以上により、第１実施形態では、図８に示すように、例えばテレビジョン装置１０とスマートフォン２０ａ、および、テレビジョン装置１０とタブレット２０ｂとが共に同期状態にある際にスマートフォン２０ａのユーザによってチャンネルの変更操作が行われることに起因して、テレビジョン装置１０の表示部１２に表示される映像が第１映像から第２映像に変化するイベントが発生した場合には、第１テーブルＴ１および第２テーブルＴ２の設定に応じて、テレビジョン装置１０とスマートフォン２０ａとの間の関係は同期状態のまま維持される一方、テレビジョン装置１０とタブレット２０ｂとの間の関係は同期状態から非同期状態に切り替わる。具体的には、スマートフォン２０ａの表示部２２ａは、第１映像に対応した第１コンテンツが表示された状態から第２映像に対応した第２コンテンツが表示された状態に切り替わる一方、タブレット２０ｂの表示部２２ｂは、第１コンテンツが表示された状態を維持する。
【００２５】
すなわち、第１実施形態では、一例として、テレビジョン装置１０とスマートフォン２０ａ、および、テレビジョン装置１０とタブレット２０ｂとの間の関係が共に同期状態である場合には、スマートフォン２０ａの表示部２２ａには、第１コンテンツ（図８参照）に対応する画像ＩＭ３（図９参照）が表示されるとともに、タブレット２０ｂの表示部２２ｂにも、第１コンテンツに対応する画像ＩＭ４（図１０参照）が表示される。そして、この状態で、スマートフォン２０ａを用いたチャンネルの変更操作が行われた場合（図２の操作画面ＩＭ１の操作ボタンＢ１をタッチする操作がスマートフォン２０ａのユーザにより行われた場合）には、スマートフォン２０ａの表示部２２ａは、第１コンテンツに対応する画像ＩＭ３が表示された状態から第２コンテンツ（図８参照）に対応する画像ＩＭ５（図１１参照）が表示された状態に切り替わるとともに、タブレット２０ｂの表示部２２ｂは、第１コンテンツに対応する画像ＩＭ４が表示された状態を維持する。
【００２６】
このとき、図１２に示すように、タブレット２０ｂの表示部２２ｂには、第１コンテンツ（図８参照）に対応する画像ＩＭ４の一部に重なるように、テレビジョン装置１０との同期が解除された旨をユーザに通知するための画像（「テレビジョン装置との同期が解除されました。再度同期する場合には同期ボタンを押してください。」というメッセージが表示された画像）ＩＭ６が表示される。そして、この画像ＩＭ６が消えた後には、図１３に示すように、タブレット２０ｂの表示部２２ｂに、第１コンテンツから第２コンテンツ（図８参照）に表示を切替可能である旨をユーザに通知するための画像（「新しいコンテンツが表示可能になりました。表示する場合には更新ボタンを押してください。」というメッセージに対応する画像）ＩＭ７が、第１コンテンツに対応する画像ＩＭ４の一部に重なるように表示される。
【００２７】
なお、上記画像ＩＭ６（図１２参照）のメッセージに記載された「同期ボタン」、および、上記画像ＩＭ７（図１３参照）のメッセージに記載された「更新ボタン」は、共に、テレビジョン装置１０の操作を行うための操作画面ＩＭ２（図４参照）上に表示される。そして、タブレット２０ｂのユーザは、操作画面ＩＭ２の同期ボタンＢ４を押下する（タッチする）操作を行うことにより、テレビジョン装置１０とタブレット２０ｂとの間の関係を非同期状態から同期状態に戻すことができる。また、タブレット２０ｂのユーザは、操作画面ＩＭ２の更新ボタンＢ３をタッチする操作を行うことにより、タブレット２０ｂの表示部２２ｂに表示されたコンテンツを第１コンテンツから第２コンテンツに切り替えることができる。
【００２８】
第１実施形態では、テレビジョン装置１０の制御部１５の第２出力部１５ｂは、表示部１２に表示された映像が変化した場合に、スマートフォン２０ａ（タブレット２０ｂ）の表示部２２ａ（２２ｂ）に表示されたコンテンツの切替（または維持）が行われるように、スマートフォン２０ａまたはタブレット２０ｂに対して第１指示データを出力する。例えば、上記図９〜図１３に示した例では、第２出力部１５ｂは、スマートフォン２０ａの表示部２２ａが画像ＩＭ３が表示された状態から画像ＩＭ５が表示された状態に切り替わるとともに、タブレット２０ｂの表示部２２ｂが画像ＩＭ４が表示された状態を維持するように、少なくともコンテンツが切り替わるよう設定されているスマートフォン２０ａに対して第１指示データを出力する。なお、第２出力部１５ｂは、コンテンツが維持されるよう設定されているタブレット２０ｂに対して、表示されたコンテンツを維持する第１指示データを出力してもよい。
【００２９】
また、第１実施形態では、テレビジョン装置１０の表示部１２に表示された映像が第１映像から第２映像に変化した場合（図８参照）に、スマートフォン２０ａ（タブレット２０ｂ）の表示部２２ａ（２２ｂ）が第１コンテンツが表示された状態から第２コンテンツが表示された状態に切り替わる旨または切り替わり可能である旨を示す画像が、表示部２２ａ（２２ｂ）に表示されるように、第２出力部１５ｂは、スマートフォン２０ａまたはタブレット２０ｂに対して第２指示データを出力する。例えば、上記図９〜図１３に示した例では、第２出力部１５ｂは、タブレット２０ｂの表示部２２ｂに表示された画像ＩＭ４に、コンテンツが切り替わり可能である旨を示す画像ＩＭ７（図１３参照）が表示されるように、タブレット２０ｂに対して第２指示データを出力する。
【００３０】
なお、第２出力部１５ｂから出力される第２指示データに含まれる、携帯端末２０の表示部（スマートフォン２０ａの表示部２２ａ、タブレット２０ｂの表示部２２ｂ）の表示画面の切替または維持をどのような表示形式で行うかに関する情報は、記憶部１５ｄに記憶された第３テーブルＴ３（情報、設定情報、設定、図７参照）に基づいて決定されうる。
【００３１】
図７の第３テーブルＴ３には、一例として、第２指示データを送信する対象の携帯端末２０とテレビジョン装置１０との関係が同期状態であり（「同期中」）、かつ、放送波に含まれる所定のフラグ（放送局ＢＳ（図１参照）により指定された、携帯端末２０側で実行されるコンテンツの表示の切替処理または維持処理の優先度を示す情報）が「優先度高」である場合には、古いコンテンツに対応する画像（例えば、図９の画像ＩＭ３）を非表示にして新たなコンテンツに対応する画像（例えば、図１１の画像ＩＭ５）が表示される旨（「１」：コンテンツをロードし最前面に表示）が規定されている。また、第３テーブルＴ３には、第２指示データを送信する対象の携帯端末２０とテレビジョン装置１０との関係が同期状態であり（「同期中」）、かつ、放送波に含まれる所定のフラグが「優先度低」である場合には、古いコンテンツに対応する画像の表示を維持した状態で、新たなコンテンツに対応する画像に切替可能である旨を示す画像（例えば、図１３の画像ＩＭ７）を表示する旨（「２」：ロードし通知を出すが最前面には表示しない）が規定されている。
【００３２】
また、図７の第３テーブルＴ３には、一例として、第２指示データを送信する対象の携帯端末２０とテレビジョン装置１０との関係が非同期状態であり（「非同期」）、かつ、放送波に含まれる所定のフラグが「優先度高」である場合にも、古いコンテンツに対応する画像の表示を維持した状態で、新たなコンテンツに対応する画像に切替可能である旨を示す画像（例えば、図１３の画像ＩＭ７）を表示する旨が規定されている。また、第３テーブルＴ３には、第２指示データを送信する対象の携帯端末２０とテレビジョン装置１０との関係が非同期状態であり（「非同期」）、かつ、放送波に含まれる所定のフラグが「優先度低」である場合には、古いコンテンツに対応する画像の表示をそのまま維持して何らの新しい画像も表示しない旨（「３」：通知すら行わない）が規定されている。なお、第１実施形態では、第３テーブルＴ３の内容をユーザが種々に設定および変更することが可能である。また、第１実施形態では、スマートフォン２０ａ（タブレット２０ｂ）側のコンテンツの表示の切替または維持をどのような表示形式（表示態様）で行うかが規定された情報であれば、第３テーブルのようなテーブル形式の情報以外の任意の形式の情報を用いることが可能である。
【００３３】
また、第１実施形態では、テレビジョン装置１０とスマートフォン２０ａ（タブレット２０ｂ）との間の同期状態が解除された場合（同期状態から非同期状態に変更された場合）には、その旨をユーザに通知する旨の画像が表示部２２ａ（２２ｂ）に表示されるように、第２出力部１５ｂは、同期状態が解除されたスマートフォン２０ａ（タブレット２０ｂ）に対して所定の第４指示データを出力することができる。例えば、上記図９〜図１３に示した例では、第２指示データ（コンテンツが切り替わり可能である旨を示す画像ＩＭ７（図１３参照）を表示させるための指示データ）が出力される前の、テレビジョン装置１０とタブレット２０ｂとの間の同期状態が解除された段階で、第４指示データが出力されることによって、タブレット２０ｂの表示部２２ａには、第１コンテンツに対応する画像ＩＭ４の一部に重なるように、テレビジョン装置１０との同期が解除された旨をユーザに通知するための画像ＩＭ６（図１２参照）が表示される。
【００３４】
次に、図１４を参照して、第１実施形態によるテレビジョン装置１０の制御部１５により実行される処理フローについて説明する。
【００３５】
この処理フローでは、まず、図１４に示すように、ステップＳ１において、テレビジョン装置１０の表示部１２に表示された映像が変化するイベントが発生したか否かを判断する処理が実行される。このステップＳ１の処理は、テレビジョン装置１０の表示部１２に表示された映像が変化するイベントが発生したと判断されるまで繰り返される。そして、ステップＳ１において、テレビジョン装置１０の表示部１２に表示された映像が変化するイベントが発生したと判断された場合には、ステップＳ２に進む。
【００３６】
次に、ステップＳ２において、上記ステップＳ１において発生したと判断されたイベントがどのようなイベントであるかを確認する処理が実行される。すなわち、上記ステップＳ１において発生したと判断されたイベントが、テレビジョン装置１０、リモコン信号受信部１４または携帯端末２０（スマートフォン２０ａ、タブレット２０ｂ）のいずれかによるテレビ番組のチャンネルの変更操作や、テレビ番組の終了に伴う新たなテレビ番組の開始や、放送局ＢＳ（図１参照）がユーザに訴えたい何らかのメッセージを放送波に乗せることなどに起因する放送波の内容の強制的な変更などの種々のイベントのうちのいずれに該当するかを確認する処理が実行される。そして、ステップＳ３に進む。
【００３７】
次に、ステップＳ３において、上記ステップＳ２において確認されたイベントの発生要因となった装置を確認する処理が実行される。例えば、上記ステップＳ２において、テレビジョン装置１０の表示部１２に表示された映像が変化する要因となったイベントが、テレビ番組のチャンネルの変更操作であることが確認された場合には、そのチャンネルの変更操作を行った装置が、テレビジョン装置１０、リモコン信号受信部１４または携帯端末２０（スマートフォン２０ａ、タブレット２０ｂ）のいずれであるかを確認する処理が実行される。そして、ステップＳ４に進む。
【００３８】
次に、ステップＳ４において、上記ステップＳ２およびＳ３における確認結果に基づいて、記憶部１５ｄに記憶された第１テーブルＴ１（図５参照）を更新する処理が実行される。このステップＳ４では、上記ステップＳ２およびＳ３における確認結果に基づいて、記憶部１５ｄに記憶された第２テーブルＴ２（図６参照）が参照されることにより、第１テーブルＴ１をどのように更新するかが決定される。例えば、上記ステップＳ２およびＳ３において、テレビジョン装置１０の表示部１２に表示された映像が変化するイベントが、ユーザによるチャンネルの変更操作に起因して発生したものであり、かつ、そのチャンネルの変更操作を行った装置がスマートフォン２０ａであると確認された場合には、第２テーブルＴ２に基づいて、スマートフォン２０ａ以外の携帯端末２０（タブレット２０ｂ）の同期状態を解除するように、第１テーブルＴ１のタブレット２０ｂに対応する欄が「非同期」に更新される。なお、このような更新処理は、制御部１５の同期管理部１５ｃによって行われる。そして、ステップＳ５に進む。
【００３９】
次に、ステップＳ５において、上記ステップＳ４の処理が実行された結果同期状態から非同期状態になった携帯端末２０が存在するか否かを判断する処理が実行される。このステップＳ５において、同期状態から非同期状態になった携帯端末２０が存在しないと判断された場合には、後述するステップＳ７に進む。また、ステップＳ５において、同期状態から非同期状態になった携帯端末２０が存在すると判断された場合には、ステップＳ６に進む。
【００４０】
ステップＳ６においては、上記ステップＳ４の処理が実行された結果非同期状態になった携帯端末２０に、同期状態が解除された旨を通知する処理が実行される。例えば、上記図９〜図１３に示した例では、上記ステップＳ４においてタブレット２０ｂの同期状態が解除されるので、タブレット２０ｂの表示部２２ｂに同期状態が解除された旨を通知する旨のＩＭ６（図１２参照）が表示される。そして、ステップＳ７に進む。
【００４１】
ステップＳ７においては、テレビジョン装置１０に通信可能に接続された各携帯端末２０（スマートフォン２０ａおよび携帯端末２０）に、第３テーブルＴ３（図７参照）に基づいて第２出力部１５ｂにより決定された指示データ（第１および第２指示データ）を送信する処理が実行される。例えば、上記図９〜図１３に示した例では、スマートフォン２０ａの表示部２２ａが画像ＩＭ３（図９参照）が表示された状態から画像ＩＭ５（図１１参照）が表示された状態に切り替わるとともに、タブレット２０ｂの表示部２２ｂが画像ＩＭ４（図１０、図１２および図１３参照）が表示された状態を維持するように、スマートフォン２０ａおよびタブレット２０ｂに対して第１指示データが送信される。また、上記図９〜図１３に示した例では、タブレット２０ｂの表示部２２ｂに表示された画像ＩＭ４に、コンテンツが切り替わり可能である旨を示す画像ＩＭ７（図１３参照）が表示されるように、タブレット２０ｂに対して第２指示データが送信される。そして、処理が終了する。
【００４２】
以上説明したように、第１実施形態では、テレビジョン装置１０の制御部１５の第２出力部１５ｂは、テレビジョン装置１０の表示部１２が第１映像が表示された状態から第２映像が表示された状態に変化した場合（例えばスマートフォン２０ａを用いたチャンネルの変更操作が行われた場合）に、スマートフォン２０ａの表示部２２ａが第１映像に対応した第１コンテンツが表示された状態（図９参照）から第２映像に対応した第２コンテンツが表示された状態（図１１参照）に切り替わるとともに、タブレット２０ｂの表示部２２ｂが第１コンテンツが表示された状態（図１０、図１２および図１３参照）を維持するように、スマートフォン２０ａおよびタブレット２０ｂに対して第１指示データを出力する。これにより、一例としては、テレビジョン装置１０側で表示されている映像が変化した場合に、スマートフォン２０ａ側で表示されているコンテンツを切り替えることができるとともに、タブレット２０ｂ側で表示されているコンテンツをそのまま維持することができる。
【００４３】
ここで、テレビジョン装置１０に複数（一例として２個）の携帯端末２０（スマートフォン２０ａおよびタブレット２０ｂ）が通信可能に接続された上記第１実施形態のような構成では、テレビジョン装置１０側および携帯端末２０側で常に互いに対応する映像およびコンテンツが表示されるとすると、タブレット２０ｂのユーザが現在表示されているコンテンツの視聴の継続を望んでいる場合でも、スマートフォン２０ａのユーザの操作（チャンネルの切替操作）によってテレビジョン装置１０側の映像が変化した場合に、タブレット２０ｂ側のコンテンツがテレビジョン装置１０側の映像の変化に対応するように切り替わってしまう場合がある。この場合において、第１実施形態では、上記のように、一例として、テレビジョン装置１０に表示された映像が変化した場合に、携帯端末２０（スマートフォン２０ａおよびタブレット２０ｂ）に表示されるコンテンツを切り替えるかまたは維持するかを携帯端末２０毎に異ならせることができるので、ユーザの利便性を高めることができる。
【００４４】
例えば上記図９〜図１３に示した例（スマートフォン２０ａのユーザの操作（チャンネルの切替操作）によってテレビジョン装置１０側の映像が変化する例）では、スマートフォン２０ａを用いてテレビジョン装置１０の映像を切り替える操作以外の特別な操作（コンテンツを切り替えるための操作）を行うことなく、スマートフォン２０ａに表示されたコンテンツが自動的に切り替わるので、スマートフォン２０ａのユーザの利便性を高めることができる。また、上記図９〜図１３に示した例では、スマートフォン２０ａのユーザの操作によってテレビジョン装置１０側の映像が変化した場合でも、タブレット２０ｂに表示されたコンテンツはそのまま維持されるので、タブレット２０ｂのユーザのコンテンツの視聴が他のユーザ（スマートフォン２０ａのユーザ）の操作によって妨げられることがなく、タブレット２０ｂのユーザの利便性を高めることができる。
【００４５】
また、第１実施形態では、上記のように、テレビジョン装置１０の制御部１５の第２出力部１５ｂは、テレビジョン装置１０の表示部１２に表示された映像が第１映像から第２映像に変化した場合に、スマートフォン２０ａ（タブレット２０ｂ）の表示部２２ａ（２２ｂ）が第１コンテンツが表示された状態から第２コンテンツが表示された状態に切り替わる旨または切り替わり可能である旨を示す画像が、表示部２２ａ（２２ｂ）に表示されるように、スマートフォン２０ａまたはタブレット２０ｂに対して第２指示データを出力する。例えば上記図９〜図１３に示した例では、第２出力部１５ｂは、タブレット２０ｂの表示部２２ｂに表示された画像ＩＭ４の一部に、コンテンツが切り替わり可能である旨を示す画像ＩＭ７（図１３参照）が重ねて表示されるように、タブレット２０ｂに対して第２指示データを出力する。これにより、一例として、携帯端末２０に表示されたコンテンツがテレビジョン装置１０に表示された映像の変化に対応するように切り替わり可能である旨をユーザが視覚的に認識することができるので、ユーザの利便性を高めることができる。
【００４６】
また、第１実施形態では、上記のように、携帯端末２０（スマートフォン２０ａおよびタブレット２０ｂ）側のコンテンツの切替または維持が行われる際にテレビジョン装置１０の制御部１５によって使用される設定情報（記憶部１５ｄに記憶された第１テーブルＴ１、第２テーブルＴ２および第３テーブルＴ３など）がユーザによって変更可能に構成されているので、一例として、ユーザの利便性をより高めることができる。
【００４７】
＜第２実施形態＞
次に、図２および図１５を参照して、第２実施形態による映像表示システム２００について説明する。この第２実施形態では、テレビジョン装置１０側に記憶されたデータ（第１テーブルＴ１、第２テーブルＴ２および第３テーブルＴ３）に基づいて携帯端末２０側の表示の切替または維持が行われる上記第１実施形態と異なり、携帯端末２２０側に記憶されたデータ（後述する第２データ）に基づいて携帯端末２２０の表示の切替または維持が行われる例について説明する。なお、携帯端末２２０は、「情報処理装置（電子機器）」の一例である。
【００４８】
この第２実施形態（図２参照）では、テレビジョン装置２１０の表示部１２に表示されている映像が変化した場合に、テレビジョン装置２１０の制御部２１５は、映像が変化した旨を示す第１データを通信部１３を介して携帯端末２０（スマートフォン２２０ａおよびタブレット２２０ｂ）に送信する。なお、スマートフォン２２０ａおよびタブレット２２０ｂは、それぞれ、「第１情報処理装置」および「第２情報処理装置」の一例である。
【００４９】
そして、スマートフォン２２０ａ（タブレット２２０ｂ）の制御部２２４ａ（２２４ｂ）は、上記第１データを通信部２１ａ（２１ｂ）を介して取得した場合に、ＲＯＭやＲＡＭなどからなる記憶部（図示せず）に記憶された第２データに基づいて、表示部２２ａ（２２ｂ）に表示されたコンテンツを、テレビジョン装置２１０の表示部１２の映像の変化に対応させるように切り替えるか、または、テレビジョン装置２１０の表示部１２の映像の変化に対応させずに維持するように、表示部２２ａ（２２ｂ）を制御する。
【００５０】
ここで、上記第２データは、テレビジョン装置２１０の表示部１２の映像が変化した場合に表示部２２ａ（２２ｂ）をどのように制御するかという制御ルールに対応するデータである。すなわち、第２データは、上記第１実施形態によるテレビジョン装置１０に記憶された第３テーブルＴ３（図７参照）に対応するようなデータである。この第２データは、ユーザが任意に設定および変更することが可能なように構成されている。
【００５１】
次に、図１５を参照して、第２実施形態によるスマートフォン２２０ａ（タブレット２２０ｂ）の制御部２２４ａ（２２４ｂ）により実行される処理フローについて説明する。
【００５２】
この処理フローでは、まず、図１５に示すように、ステップＳ２１において、テレビジョン装置２１０の表示部１２に表示された映像が変化した場合にテレビジョン装置２１０から送信される第１データが通信部２１ａ（２１ｂ）を介して取得されたか否かを判断する処理が実行される。このステップＳ２１の処理は、第１データが取得されたと判断されるまで繰り返される。そして、ステップＳ２１において、第１データが取得されたと判断された場合には、ステップＳ２２に進む。
【００５３】
次に、ステップＳ２２において、記憶部（図示せず）に記憶された第２データに応じて、表示部２２ａ（２２ｂ）に表示されたコンテンツを、テレビジョン装置２１０の表示部１２に表示された映像の変化に対応させるように切り替えるか、または、維持する処理が実行される。そして、処理が終了する。
【００５４】
以上説明したように、第２実施形態では、テレビジョン装置２１０に表示された映像が変化した場合に、携帯端末２２０としてのスマートフォン２２０ａ（タブレット２２０ｂ）の制御部２２４ａ（２２４ｂ）が、記憶部（図示せず）に記憶された第２データに応じてコンテンツの切替または維持を行うように表示部２２ａ（２２ｂ）を制御する。これにより、第２実施形態においても、上記第１実施形態と同様に、一例として、テレビジョン装置２１０に表示された映像が変化した場合に、携帯端末２２０に表示されるコンテンツを切り替えるかまたは維持するかを携帯端末２２０毎に異ならせることができる。
【００５５】
また、第２実施形態では、スマートフォン２２０ａ（タブレット２２０ｂ）に記憶された第２データをユーザが比較的簡単に設定および変更することが可能であるので、一例として、テレビジョン装置２１０側の映像が変化した場合におけるスマートフォン２２０ａ（タブレット２２０ｂ）側のコンテンツの表示の切替または維持の形式などを、スマートフォン２２０ａ（タブレット２２０ｂ）のユーザが比較的簡単に設定および変更することができる。これにより、一例として、ユーザの利便性を高めることができる。
【００５６】
ここで、上記第１および第２実施形態によるテレビジョン装置および携帯端末（スマートフォンおよびタブレット）は、通常のコンピュータを利用したハードウェア構成となっており、テレビジョン装置および携帯端末の各々の制御部により実行されるプログラムは、ＲＯＭやＲＡＭなどからなる記憶部に格納されている。そして、このプログラムは、インストール可能な形式または実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）などの、コンピュータで読み取り可能な記録媒体に記録された状態で提供される。なお、上記プログラムは、インターネットなどのネットワークに接続されたコンピュータ上に格納され、ネットワーク経由で提供または配布されるように構成されていてもよい。また、上記プログラムは、ＲＯＭなどに予め組み込まれた状態で提供されるように構成されていてもよい。
【００５７】
以上、本発明の実施形態を説明したが、上記実施形態はあくまで一例であって、発明の範囲を限定することは意図していない。上記実施形態は、様々な形態で実施されることが可能であり、発明の要旨を逸脱しない範囲で、種々の省略、置き換え、変更を行うことができる。上記実施形態やその変形は、発明の範囲や要旨に含まれるとともに、特許請求の範囲に記載された発明とその均等の範囲に含まれる。
【００５８】
例えば、上記実施形態では、放送受信装置の一例としてのテレビジョン装置に本発明を適用する例を示したが、本発明は、テレビジョン装置以外の放送受信装置（ＢＤレコーダなどの録画装置やセットトップボックスなど）にも適用可能である。また、上記第１および第２実施形態では、情報処理装置の一例として携帯端末（スマートフォンおよびタブレット）を用いる例を示したが、本発明では、情報処理装置の一例として、携帯端末以外の情報処理装置（ＰＣなど）を用いることも可能である。
【００５９】
また、上記実施形態の各構成要素の個数などは、適宜に変更して実施することが可能である。すなわち、上記実施形態では、テレビジョン装置（放送受信装置）に通信可能に接続された携帯端末（情報処理装置）の個数が２個である例を示したが、携帯端末の個数は１個であってもよいし、３個以上であってもよい。
【符号の説明】
【００６０】
１０，２１０…テレビジョン装置（放送受信装置）、１１…放送受信部（受信部）、１２…表示部（第１表示部）、１３…通信部（取得部）、１５ａ…第１出力部、１５ｂ…第２出力部、２０，２２０…携帯端末（情報処理装置）、２０ａ，２２０ａ…スマートフォン（第１情報処理装置）、２２ａ…表示部（第２表示部）、２０ｂ，２２０ｂ…タブレット（第２情報処理装置）、２２ｂ…表示部（第３表示部）。
【図１】
2014230205.tif 000003
【図２】
2014230205.tif 000004
【図３】
2014230205.tif 000005
【図４】
2014230205.tif 000006
【図５】
2014230205.tif 000007
【図６】
2014230205.tif 000008
【図７】
2014230205.tif 000009
【図８】
2014230205.tif 000010
【図９】
2014230205.tif 000011
【図１０】
2014230205.tif 000012
【図１１】
2014230205.tif 000013
【図１２】
2014230205.tif 000014
【図１３】
2014230205.tif 000015
【図１４】
2014230205.tif 000016
【図１５】
2014230205.tif 000017